(57)【要約】      （修正有）【課題】完全防水型ＬＥＤテープを簡単にかつ綺麗に取り付けるためのＬＥＤテープの取付方法及びＬＥＤテープのホルダーを提供する。【解決手段】ＬＥＤチップ１０ｂを接続している基板１０ａの表面及び裏面をシリコン樹脂１０ｃで封止した完全防水型ＬＥＤテープ１０を嵌合させるための空間１２を形成した、硬質塩化ビニールで形成する断面略コの字状の長尺な取付部材１４を、完全防水型ＬＥＤテープ１０を取り付ける壁面１６に固定し、取付部材１４の空間１２に完全防水型ＬＥＤテープ１０を嵌め込んで、壁面１６に完全防水型ＬＥＤテープ１０を取り付ける。これにより、両面テープでは取り付けられない完全防水型ＬＥＤテープ１０を壁面に簡単かつ綺麗に取り付けることができる。また、取付部材１４は熱を加えることで壁面１６の形状に容易の変形させることができるため、湾曲した壁面１６にも容易に完全防水型ＬＥＤテープ１０を取り付けることができる。【選択図】図１
2015147480.tif 000002
【特許請求の範囲】
【請求項１】
ＬＥＤチップを接続している基板の表面及び裏面をシリコン樹脂で封止した完全防水型ＬＥＤテープを嵌合させるための空間を形成した、硬質塩化ビニールで形成される断面略コの字状の長尺な取付部材を、完全防水型ＬＥＤテープを取り付ける壁面に固定し、取付部材の空間に完全防水型ＬＥＤテープを嵌め込むことにより、壁面に完全防水型ＬＥＤテープを取り付けることを特徴とするＬＥＤテープの取付方法。
【請求項２】
前記取付部材の開口部を狭める突起部を設け、完全防水型ＬＥＤテープの飛び出しを防止することを特徴とする請求項１記載のＬＥＤテープの取付方法。
【請求項３】
前記突起部に取付部材の空間に向かって斜面を形成し、斜面の下端に返し部を設け、完全防水型ＬＥＤテープの飛び出しを防止することを特徴とする請求項２記載のＬＥＤテープの取付方法。
【請求項４】
ＬＥＤチップを接続している基板の表面及び裏面をシリコン樹脂で封止した完全防水型ＬＥＤテープを嵌合させるための空間を形成した、硬質塩化ビニールで形成される断面略コの字状の長尺な取付部材であって、完全防水型ＬＥＤテープを取り付ける壁面に固定し、取付部材の空間に完全防水型ＬＥＤテープを嵌め込むことにより、壁面に完全防水型ＬＥＤテープを取り付けることを特徴とするＬＥＤテープのホルダー。
【請求項５】
前記取付部材の開口部を狭める突起部を設け、完全防水型ＬＥＤテープの飛び出しを防止することを特徴とする請求項４記載のＬＥＤテープのホルダー。
【請求項６】
前記突起部に取付部材の空間に向かって斜面を形成し、斜面の下端に返し部を設け、完全防水型ＬＥＤテープの飛び出しを防止することを特徴とする請求項５記載のＬＥＤテープのホルダー。
【発明の詳細な説明】
【技術分野】
【０００１】
本発明は、完全防水型のＬＥＤテープを取り付けるためのＬＥＤテープの取付方法及びＬＥＤテープのホルダーに関するものである。
【背景技術】
【０００２】
現在、ＬＥＤチップや基板をシリコン樹脂で封止したＬＥＤテープと呼ばれるＬＥＤ照明装置（本願において、「ＬＥＤテープ」という。）が、主に自動車の車内装飾として使用されている（たとえば、特許文献１）。
【先行技術文献】
【特許文献】
【０００３】
【特許文献１】実用新案登録第３１６２８４５号公報
【発明の概要】
【発明が解決しようとする課題】
【０００４】
特許文献１のＬＥＤテープは、線状のプリント基板上に所定の間隔で複数のＬＥＤチップを接続したものであって、ＬＥＤチップを接続している基板の表面をシリコン樹脂で封止したものである。なお、照明装置の端部にはコネクタが接続されており、コードが導出している。
上記ＬＥＤテープを壁面等に取り付ける場合、シリコン樹脂で封止されていない裏面に両面テープを貼着し、壁面等取り付ける。
【０００５】
しかし、ＬＥＤテープには、裏面もシリコン樹脂で封止したいわゆる完全防水型のもの（本願において、「完全防水型ＬＥＤテープ」という。）も提供されている。完全防水型ＬＥＤテープは、裏面がシリコン樹脂で形成されているため、両面テープを貼着することができない。
従来は、コードクリップのような固定具を用いて、壁面等に完全防水型ＬＥＤテープを取り付けていたが、コードクリップとコードクリップの間にある完全防水型ＬＥＤテープは壁面等から浮き上がり、完全防水型ＬＥＤテープを平らに取り付けることができなかった。また、コードクリップを整列させて取り付けないと、完全防水型ＬＥＤテープは蛇行した状態で取り付けられ、完全防水型ＬＥＤテープを綺麗に取り付けるには、コードクリップは不便であった。
【０００６】
本発明は、上記課題を解決するもので、完全防水型ＬＥＤテープを簡単にかつ綺麗に取り付けるためのＬＥＤテープの取付方法及びＬＥＤテープのホルダーを提供することを目的とするものである。
【課題を解決するための手段】
【０００７】
本発明のＬＥＤテープの取付方法は、ＬＥＤチップを接続している基板の表面及び裏面をシリコン樹脂で封止した完全防水型ＬＥＤテープを嵌合させるための空間を形成した、硬質塩化ビニールで形成される断面略コの字状の長尺な取付部材を、完全防水型ＬＥＤテープを取り付ける壁面に固定し、取付部材の空間に完全防水型ＬＥＤテープを嵌め込むことにより、壁面に完全防水型ＬＥＤテープを取り付けるようにしたものである。
また、取付部材の開口部を狭める突起部を設け、完全防水型ＬＥＤテープの飛び出しを防止するようにしたものである。また、突起部に取付部材の空間に向かって斜面を形成し、斜面の下端に返し部を設け、完全防水型ＬＥＤテープの飛び出しを防止するようにしたものである。
【０００８】
本発明のＬＥＤテープのホルダーは、ＬＥＤチップを接続している基板の表面及び裏面をシリコン樹脂で封止した完全防水型ＬＥＤテープを嵌合させるための空間を形成した、硬質塩化ビニールで形成される断面略コの字状の長尺な取付部材であるようにしたものである。
また、取付部材の開口部を狭める突起部を設け、完全防水型ＬＥＤテープの飛び出しを防止するようにしたものである。また、突起部に取付部材の空間に向かって斜面を形成し、斜面の下端に返し部を設け、完全防水型ＬＥＤテープの飛び出しを防止するようにしたものである。
【発明の効果】
【０００９】
本発明によると、完全防水型ＬＥＤテープを嵌合させる空間を有する取付部材を壁面に取り付けることにより、壁面に完全防水型ＬＥＤテープを簡単にかつ綺麗に取り付けることができる。また、取付部材は硬質塩化ビニールで形成されるものであるため、熱を加えることで壁面の形状に容易の変形させることができるため、湾曲した壁面にも容易に完全防水型ＬＥＤテープを取り付けることができる。さらに、完全防水型ＬＥＤテープの取り換えも容易に行うことができる。
【図面の簡単な説明】
【００１０】
【図１】本発明のＬＥＤテープの取付方法及びＬＥＤテープのホルダーを表わす図である。
【図２】本発明のＬＥＤテープのホルダーの他の実施形態を表わす図である。
【発明を実施するための形態】
【００１１】
本発明は、両面テープを用いて取り付けられないＬＥＤテープの取付けを実現するものである。
【実施例】
【００１２】
本発明のＬＥＤテープの取付方法及びＬＥＤテープのホルダーを図に基づいて説明する。図１は、本発明のＬＥＤテープの取付方法及びＬＥＤテープのホルダーを表わす図である。図（ａ）は、ＬＥＤテープの取付方法を表す図であり、図（ｂ）は、図（ａ）のＡ−Ａ断面図である。図２は、本発明のＬＥＤテープのホルダーの他の実施形態を表わす図である。
本発明のＬＥＤテープの取付方法は、完全防水型ＬＥＤテープ１０を嵌合させるための空間１２を形成した、硬質塩化ビニールで形成される断面略コの字状の長尺な取付部材１４を、完全防水型ＬＥＤテープ１０を取り付ける壁面１６に固定し、取付部材１４の空間１２に完全防水型ＬＥＤテープ１０を嵌め込むことにより、壁面１６に完全防水型ＬＥＤテープ１０を取り付けるものである（図１）。
なお、完全防水型ＬＥＤテープ１０は、使用する長さにカッターなどを使用して切断する。
また、完全防水型ＬＥＤテープ１０は、線状のプリント基板１０ａ上に所定の間隔で複数のＬＥＤチップ１０ｂを接続したものであって、ＬＥＤチップ１０ｂを接続している基板１０ａの表面及び裏面をシリコン樹脂１０ｃで封止したものである（図１（ｂ））。なお、照明装置の端部にはコネクタが接続されており、コードが導出している（図示せず）。
【００１３】
本発明によると、ＬＥＤチップ１０ｂを接続している基板１０ａの表面及び裏面をシリコン樹脂１０ｃで封止した完全防水型ＬＥＤテープ１０を嵌合させる空間１２を有する取付部材１４を壁面１６に取り付けることによって、壁面１６に完全防水型ＬＥＤテープ１０を簡単にかつ綺麗に取り付けることができる。さらに、完全防水型ＬＥＤテープ１０の取り換えも容易に行うことができる。
【００１４】
取付部材１４は、その底面に粘着する両面テープもしくは低頭のネジなどの固定手段を用いて壁面１６に固定する。
壁面１６の湾曲部に取り付ける場合は、取付部材１４に熱を加え、湾曲部の形状に合わせて、取付部材１４を曲げ冷却することにより、取付部材１４を湾曲部の形状に整えることができる。壁面１６の湾曲部が緩やかな場合は、壁面１６に取付部材１４を固定することができる。取付部材１４は硬質塩化ビニールで形成されるものであるため、壁面１６の形状に沿って綺麗に固定することができる。
【００１５】
取付部材１４の開口部１８を狭める突起部１４ａを設ける。これにより、完全防水型ＬＥＤテープ１０が取付部材１４から外れて飛び出すことを防止することができる。
また、突起部１４ａに取付部材１４の空間１２に向かって斜面１４ｂを形成し、斜面１４ｂの下端に返し部１４ｃを設け、完全防水型ＬＥＤテープ１０の飛出しを防止するようにしてもよい。
斜面１４ｂを形成することにより、開口部１８から空間１２に簡単にＬＥＤテープ１０を嵌入させることができ、ＬＥＤテープ１０を容易に取り付けることができる。また、返し部１４ｃを設けることにより、返し部１４ｃによってＬＥＤテープ１０のシリコン樹脂１０ｃの部分を確実に保持することから、ＬＥＤテープ１０が取付部材１４から外れることを防止できる。なお、返し部１４ｃは、釣り針のかえし（モドリ）の部分のような形で形成されている。
また、取付部材１４の空間１２は、ＬＥＤテープ１０と同大同形に形成するのが好ましい。このように形成することにより、ＬＥＤテープ１０が取付部材１４から外れないようにすることができる。
なお、突起部１４ａは、図１（ｂ）及び図２に示すように、取付部材１４の空間１２を形成する取付部材１４の側壁面１４ｄの上端部から取付部材１４の開口部１８又は空間１２に向けて設けられるものである。
【００１６】
本発明のＬＥＤテープのホルダーは、上述したＬＥＤテープの取付方法に用いる取付部材１４であるため（図１及び図２）、本発明のＬＥＤテープのホルダー（取付部材１４）の各部の詳しい説明は省略する。
【符号の説明】
【００１７】
１０  完全防水型ＬＥＤテープ
１０ａ  基板
１０ｂ  ＬＥＤチップ
１０ｃ  シリコン樹脂
１２  空間
１４  取付部材、ホルダー
１４ａ  突起部
１４ｂ  斜面
１４ｃ  返し部
１６  壁面
１８  開口部
【図１】
2015147480.tif 000003
【図２】
2015147480.tif 000004